(57)【要約】【課題】内容物の溢れ出し等の不具合を起こすことなしに、効率よく内容物を移し替えることができる、新規な注出栓及び、それを備える注出容器を提供する。【解決手段】本発明は、容器本体1の口部1aに装着される筒状部12を有し当該筒状部12の先端開口部A0から容器本体1の倒立によって内容物の注出が可能な本体11と、筒状部12の内側を封止すると共に先端開口部A0からの押し力によって分離可能な封鎖部材14とを備え、筒状部12の内側に、空気の流通を可能にする管状部15を設け、管状部15は、筒状部12の内周面から突出するように内周面12fに接続される基部15aと、基部15aと屈曲部15bを介して繋がる延長部15cとからなり、延長部15cの先端15dを先端開口部A0から突出させることで、延長部15cの先端15dに形成された開口部A1を筒状部12の内側から開放すると共に、当該筒状部12のうち、基部15aが接続された位置に、延長部の先端開口部A1を外界に通じさせる開口部A2を形成した。【選択図】図６
2011213401.tif 000002
【特許請求の範囲】
【請求項１】
容器本体の口部に装着される筒状部を有し当該筒状部の先端開口部から容器本体の倒立によって内容物の注出が可能な本体と、筒状部の内側を封止すると共に当該筒状部の先端開口部からの押し力によって分離可能な封鎖部材とを備え、
筒状部の内側に、空気の流通を可能にする管状部を設け、
当該管状部は、筒状部の内周面に接続される基部と、当該基部と屈曲部を介して繋がる延長部とからなり、
当該延長部の先端に形成された開口部を筒状部の内側から開放すると共に、当該筒状部のうち、管状部における基部が接続された位置に、当該延長部の先端に形成された前記開口部を外界に通じさせる開口部を形成したことを特徴とする注出栓。
【請求項２】
請求項１において、延長部の先端を末広がりの形状にしたことを特徴とする注出栓。
【請求項３】
請求項１又は２において、前記基部のうち、延長部の先端が指向する側に突条を設けたことを特徴とする注出栓。
【請求項４】
請求項１乃至３のいずれか１項において、前記延長部に、封鎖部材を押し上げ可能なスライド部材を設けたことを特徴とする注出栓。
【請求項５】
請求項１乃至４のいずれか１項において、延長部とスライド部材との間に、一方の凸部が他方の凹部に対してスライド可能に嵌合する位置決め手段を設けたことを特徴とする注出栓。
【請求項６】
請求項１乃至５のいずれか１項において、延長部とスライド部材との間に、一方の凸部が他方の凸部又は凹部に対して着脱可能に引っ掛かる係止手段を設けたことを特徴とする注出栓。
【請求項７】
請求項１乃至６のいずれか１項において、前記管状部は、延長部の先端が内容物の充填空間に至るまで延在するように構成されたものであることを特徴とする注出栓。
【請求項８】
請求項１乃至７のいずれか１項に記載の注出栓と、当該注出栓が装着される口部を有する容器本体とを備えることを特徴とする注出容器。
【発明の詳細な説明】
【技術分野】
【０００１】
本発明は、容器から内容物を注出するために用いられる注出栓及び、それを備えた注出容器に関するものである。
【背景技術】
【０００２】
シャンプーやリンス、洗剤、消臭剤、除菌剤又は化粧料を入れる容器としては、内容物の適量取り出しを可能とするためにポンプの如き吐出器を備えたものが数多く上市される傾向にあるところ、内容物を使い切ったのちは、詰め替えるべき内容物を充填した容器（以下、容器）から、詰め替えられるべき容器（以下、容器）に内容物を詰め替えるべく、詰め替えるべき内容物を充填した容器の口部に注出栓を装着することで、手や衣服を汚すことなしに、効率的に内容物を詰め替えようとするものがある（例えば、特許文献１参照）。
【先行技術文献】
【特許文献】
【０００３】
【特許文献１】特開２０００−１５９２４９号公報
【発明の概要】
【発明が解決しようとする課題】
【０００４】
かかる注出栓によれば、詰め替えられるべき容器を倒立させた状態で装着することで、詰め替えられるべき容器と一体化させることができるため、これら全体を、詰め替えるべき内容物を充填した容器が上側に位置するように、再び倒立させれば、内容物の差し替えが可能になる。
【０００５】
しかしながら、詰め替えるべき内容物を充填した容器としては、例えば、パウチタイプの容器や薄肉のブロー成形品等の剛性が低く腰の無い容器が採用されていることがほとんどであるので、上述のような詰め替え作業によって内容物の差し替えを行うことは非常に手間のかかることであって、改善の余地がある。
【０００６】
加えて、上述した注出栓によれば、詰め替えられるべき容器の口部と、詰め替えるべき内容物を充填した容器の口部とが密閉されることで、容器と外界との間での空気の流通が不能となることから、内容物の差し替え中に、内容物が溢れ出してしまうことが考えられる。
【０００７】
本発明の目的とするところは、内容物の溢れ出し等の不具合を起こすことなしに、効率よく内容物を移し替えることができる、新規な注出栓及び、それを備える注出容器を提供することにある。
【課題を解決するための手段】
【０００８】
本発明の注出栓は、容器本体の口部に装着される筒状部を有し当該筒状部の先端開口部から容器本体の倒立によって内容物の注出が可能な本体と、筒状部の内側に配置されると共に当該筒状部の先端開口部からの押し力によって分離可能な封鎖部材とを備え、
筒状部の内側に、空気の流通を可能にする管状部を設け、
当該管状部は、筒状部の内周面に接続される基部と、当該基部と湾曲部を介して繋がる延長部とからなり、
当該延長部の先端に形成された開口部を筒状部の内側から開放すると共に、当該筒状部のうち、管状部における基部が接続された位置に、当該延長部の先端に形成された前記開口部を外界に通じさせる開口部を筒状部に形成したことを特徴とするものである。
【０００９】
封鎖部材としては、例えば、筒状部に嵌合保持されるもの、破断可能な薄肉の連結部を介して封止するもの、或いは、アルミシート等のシール部材等を採用できる。また、本発明に従えば、延長部の先端を末広がりの形状にすることができる。
【００１０】
また、本発明に従えば、前記基部のうち、延長部の先端が指向する側に突条を設けることができる。この突条は、管状部の基部が、封鎖部材を押し込むための押圧片と干渉する場合、この押圧片の縁部に沿ってスライドすることで、管状部の基部に形成された隙間に位置合わせできる。従って、かかる構成によれば、管状部における基部の位置合わせが必要となる場合も、その工程を省略することができる。なお、突条は、リブ等で構成するだけでなく、例えば、基部のうち、延長部の先端が指向する側を先細りの断面形状に構成することもできる。
【００１１】
加えて、本発明に従えば、前記延長部に、封鎖部材を押し上げ可能なスライド部材を設けることができる。
【００１２】
更に、本発明に従えば、延長部とスライド部材との間に、一方の凸部が他方の凹部に対してスライド可能に嵌合する位置決め手段を設けることができる。
【００１３】
加えて、本発明に従えば、延長部とスライド部材との間に、一方の凸部が他方の凸部又は凹部に対して着脱可能に引っ掛かる係止手段を設けることができる。
【００１４】
更に、本発明に従えば、前記管状部は、延長部の先端が内容物の充填空間に至るまで延在するように構成されたものにできる。
【００１５】
また、本発明の注出容器は、上述の注出栓と、当該注出栓が装着される口部を有する容器本体とを備えることを特徴とするものである。
【発明の効果】
【００１６】
本発明の注出栓によれば、筒状部の内側を封鎖部材で封止することから、容器本体を倒立させても内容物が流れ落ちることがない。このため、かかる注出栓を容器本体の口部に装着すれば、注出栓を装着した容器本体を、詰め替えるべき内容物を充填した容器として、そのまま倒立させることができる。
【００１７】
加えて、筒状部に配置された封鎖部材は、筒状部の先端開口部からの押し力によって分離できることから、例えば、詰め替えられるべき容器の口部に、例えば、筒状部の先端開口部を通して封鎖部材を押し込むための押圧片を設けることで、注出栓を装着した容器本体を、詰め替えるべき内容物を充填した容器として倒立させた状態で、詰め替えられるべき容器の口部に装着すれば、詰め替えられるべき容器側から筒状部の先端開口部を通して封鎖部材を押し込むことで、当該封鎖部材を分離することができる。これにより、注出栓を装着した容器本体を、詰め替えるべき内容物を充填した容器として、当該容器を倒立させた状態から内容物を流下させることができる。
【００１８】
更に、筒状部の内側には、空気の流通を可能にする管状部を設けることで、注出栓を装着した容器本体を、詰め替えるべき内容物を充填した容器として倒立させることで内容物の注出を行うときに、管状部に係る延長部の先端に形成された開口部と筒状部に形成された開口部との間での空気の流通が可能になる。これにより、注出栓を装着した容器本体と、詰め替えられるべき容器との間での空気置換が可能になるので、内容物を溢れさせることがない。
【００１９】
従って、本発明によれば、内容物の溢れ出し等の不具合を起こすことなしに、効率よく内容物を移し替えることができる。
【００２０】
また、延長部の先端を末広がりの形状にすれば、筒状部の内側を通る内容物が延長部の先端に形成された開口部に回り込む等として、空気の流通が妨げられることなく、管状部の機能を常に良好な状態に維持することができる。
【００２１】
また、前記基部のうち、延長部の先端が指向する側に突条を設ければ、管状部の基部が、封鎖部材を押し込むための押圧片と干渉する場合、この押圧片の縁部に沿ってスライドすることで、管状部の基部に形成された隙間に位置合わせできる。従って、かかる構成によれば、管状部における基部の位置合わせが必要となる場合も、その工程を省略することができる。
【００２２】
加えて、前記延長部に、封鎖部材を押し上げ可能なスライド部材を設ければ、封鎖部材の押し込みの際に、管状部の基部と干渉することで、管状部の基部を避けて位置決めすべき場合も、当該スライド部材を介して押し込むことで、筒状部の内側から分離することができる。これにより、当該基部を避けるべく、位置決めをしながら装着しなければならないといった煩雑な作業が不要となり、使い勝手がよい。
【００２３】
更に、延長部とスライド部材との間に、一方の凸部が他方の凹部に対してスライド可能に嵌合する位置決め手段を設ければ、封鎖部材が誤って分離することを防止できる。これにより、注出栓を装着した容器本体を、詰め替えるべき内容物を充填した容器として携帯したときの携帯性に優れ、使い勝手がよい。
【００２４】
加えて、延長部とスライド部材との間に、一方の凸部が他方の凸部又は凹部に対して着脱可能に引っ掛かる係止手段を設ければ、スライド部材が延長部の周りで回転することを防止できる。これにより、スライド部材が管状部の延長部に対して遊んでしまうことなく、効率的に仕切壁を分離させることができることから、操作性に優れ、使い勝手がよい。
【００２５】
更に、本発明によれば、管状部を、その延長部の先端が、充填空間に至るまで延在するように構成すれば、充填空間内の空気を直接置換することができるため、内容物の移し替えに伴う溢れ出しをより確実に防止することができる。
【図面の簡単な説明】
【００２６】
【図１】(a),(b)はそれぞれ、本発明の第１の形態である注出栓を備える、詰め替えるべき内容物を充填した容器を示す平面図及び、当該注出栓を容器本体と共に一部断面で示す側面図である。
【図２】図１(b)の要部拡大図及び、そのＸ−Ｘ断面図である。
【図３】同注出栓を備える容器から詰め替えるべき内容物を充填した容器に、内容物を移し替えるに際しての第１の工程を示す要部断面図である。
【図４】同注出栓を備える容器から詰め替えるべき内容物を充填した容器に、内容物を移し替えるに際しての第２の工程を示す要部斜視図である
【図５】同注出栓を備える容器から詰め替えるべき内容物を充填した容器に、内容物を移し替えるに際しての第３の工程の途中経過を示す要部断面図である。
【図６】同注出栓を備える容器から詰め替えるべき内容物を充填した容器に、内容物を移し替えるに際しての第３の工程により封鎖部材を分離した状態を示す要部断面図である。
【図７】封鎖部材を分離した後、筒状部内における内容物の流れを示す要部斜視図である。
【図８】本発明の第２の形態である注出栓を備える容器から詰め替えるべき内容物を充填した容器に、内容物を移し替えるに際しての第１の工程を示す要部断面図である。
【図９】同注出栓を備える容器から詰め替えるべき内容物を充填した容器に、内容物を移し替えるに際しての第２の工程の途中経過を示す要部断面図である。
【図１０】同注出栓を備える容器から詰め替えるべき内容物を充填した容器に、内容物を移し替えるに際しての第２の工程により封鎖部材を分離した状態を示す要部断面図である。
【図１１】本発明の第３の形態である注出栓を備える容器から詰め替えるべき内容物を充填した容器に、内容物を移し替えるに際しての第２の工程により封鎖部材を分離した状態を示す要部断面図である。
【図１２】本発明の第４の形態である注出栓を容器本体と共に一部断面で示す側面図である。
【図１３】同形態に係る、スライド部材を示す要部斜視図である。
【図１４】(a),(b)はそれぞれ、図１０のＹ−Ｙ断面図及びＺ−Ｚ断面図である。
【図１５】同注出栓を備える容器から詰め替えるべき内容物を充填した容器に、内容物を移し替えるに際しての第１の工程を示す要部断面図である。
【図１６】同注出栓を備える容器から詰め替えるべき内容物を充填した容器に、内容物を移し替えるに際しての第２の工程の途中経過を示す要部断面図である。
【図１７】同注出栓を備える容器から詰め替えるべき内容物を充填した容器に、内容物を移し替えるに際しての第２の工程により封鎖部材を分離した状態を示す要部断面図である。
【発明を実施するための形態】
【００２７】
以下、図面を参照して、本発明の注出栓及び、それを備える、詰め替えるべき内容物を充填した容器を詳細に説明する。
【００２８】
図中、１は、詰め替えるべき内容物を充填した合成樹脂製の容器本体である。容器本体１は、口部１ａを有する薄肉のブロー成形ボトルとしてなる。
【００２９】
１０は、本発明の第１の形態である、注出栓であり、１１は、注出栓１０の本体である。本体１１は、容器本体１の口部１ａに装着される筒状部１２を有する。筒状部１２は、口部１ａの内側を通って外界に突出し、その内側に、容器本体１の内部空間Ｓ1を外界に通じさせる通路Ｐ1を形成する。
【００３０】
また、筒状部１２の外周には、径方向に間隔を空けて装着筒１３が一体に設けられている。これにより、容器本体１は、注出栓１０が固定されることで、詰め替えるべき内容物を充填した容器（以下、「ストック容器」）を構成する。
【００３１】
１４は、筒状部１２の内側を封止する封鎖部材である。封鎖部材１４は、筒状部１２の容器本体側端部１２ｂに対して分離可能に嵌合保持されている。これにより、封鎖部材１４は、筒状部１２の先端１２ａに形成された開口部（以下、「先端開口部」）Ａ0からの押し力によって筒状部１２から分離させることができる。なお、封鎖部材１４としては、容器本体側端部１２ｂに嵌合させるものに限定されることなく、例えば、破断可能な薄肉の連結部を介して封止したもの、アルミシート等のシール部材とすることもできる。
【００３２】
１５は、筒状部１２の内側に設けられた管状部である。管状部１５は、筒状部１２の内周面１２ｆから内側へ突出するように、この内周面１２ｆに接続される基部１５ａと、この基部１５ａと屈曲部１５ｂを介して繋がる延長部１５ｃを起立させてなる。
【００３３】
延長部１５ｃは、筒状部１２の軸線Ｏ方向に沿って延在し、その先端１５ｄを筒状部１２の先端開口部Ａ0から突出させることで、その先端１５ｄに形成された開口部（以下、「先端開口部」）Ａ1を筒状部１２の内側から開放する。
【００３４】
また、延長部１５ｃの先端１５ｄは、この先端開口部Ａ1を取り囲むように全周に亘って末広がりの形状をしてなる。更に、基部１５ａのうち、延長部１５ｃの先端１５ｄが指向する側に突条１５ｅが設けられている。本形態において、突条１５ｅは、図２に示すように、曲率半径ｒのリブで構成されているが、本発明に従えば、リブ等で構成するだけでなく、例えば、基部１５ａのうち、延長部１５ｃの先端１５ｄが指向する側を先細りの断面形状に構成することもできる。
【００３５】
また、筒状部１２のうち、管状部１５の基部１５ａが接続された位置には、延長部１５ｃの先端開口部Ａ1を外界に通じさせる開口部（以下、「側面開口部」）Ａ2が形成されている。これにより、管状部１５の内部には、先端開口部Ａ1と側面開口部Ａ2との間で空気の流通を可能に通路Ｐ2が形成される。
【００３６】
一方、２は、詰め替えられるべき合成樹脂製の容器本体である。容器本体２も、口部２ａを有するブロー成形ボトルとしてなる。
【００３７】
２０は、容器本体２に装着される受け部材である。受け部材２０は、容器本体２の口部２ａに装着される装着筒２１と、口部２ａの内側を覆う凹壁２２とを有し、この凹壁２２からは、注出のための案内部２３が一体に起立する。案内部２３は、図４に示すように、スリットのような隙間Ｃを有する樋状の形状をなし、後述のように封鎖部材１４を押し込むための押圧片として機能する。
【００３８】
また、凹壁２２は、案内部２３によって区画されたその内側に容器本体２に通じる開口部Ａ3が形成されている。これにより、容器本体２の充填空間Ｓ2には、容器本体１からの内容物が開口部Ａ3を通して内容物を充填できる一方、充填空間Ｓ2に充填された内容物は、開口部Ａ3から案内部２３を通して外界に注出させることができる。
【００３９】
これにより、容器本体２は、受け部材２０が固定されることで、詰め替えられるべき容器（以下、「使用容器」）を構成する。なお、２４は、オーバーキャップ（図示省略）を装着するための外筒である。
【００４０】
次に、本形態の作用を説明する。
【００４１】
ストック容器１から使用容器２に内容物を移し替えるに際しては先ず、第１の工程として、ストック容器１を図３に示すように倒立させて使用容器２の上方に配置する。このとき、ストック容器１の内容物は、封鎖部材１４によって筒状部１２から漏れることがない。
【００４２】
次いで、第２の工程として、ストック容器１の管状部１５が使用容器２の案内部２３と干渉しないように、図４に示すように、管状部１５の基部１５ａを案内部２３の隙間Ｃに位置合わせする。
【００４３】
そして、第３の工程として、図５に示すように、ストック容器１を使用容器２に下ろして受け部材２０の案内部２３を注出栓１の先端開口部Ａ0から通路Ｐ1内に通すと、案内部２３は、管状部１５の基部１５ａに干渉することなく、通路Ｐ1内を貫通する。これにより、案内部２３の先端縁２３ａは、図６に示すように、筒状部１２内の封鎖部材１４を押し上げて筒状部１２から分離させることで、ストック容器１の充填空間Ｓ1を開放する。なお、本形態では、案内部２３は、その先端縁２３ａに連なる部分が湾曲した傾斜縁２３ｂを構成することで、図６に示すような滑らかな動きでの分離が可能になる。
【００４４】
その結果、ストック容器１の内容物は、その自重によって、筒状部１２の通路Ｐ1を案内として、使用容器２の開口部Ａ3を通って充填空間Ｓ2内に移し替えられる。このとき、ストック容器１と使用容器２との間での空気置換は、管状部１５の先端開口部Ａ1と側面開口部Ａ2との間での空気の流通によって可能になる。
【００４５】
即ち、本形態に係る注出栓１０によれば、筒状部１２の内側を封鎖部材１４で封止することから、ストック容器１を倒立させても内容物が流れ落ちることがない。このため、本形態の如く、かかる注出栓１０を容器本体１の口部１ａに装着すれば、注出栓１０を装着した容器本体１を、詰め替えるべき内容物を充填したストック容器１として、そのまま倒立させることができる。
【００４６】
加えて、筒状部１２に配置された封鎖部材１４は、筒状部１２の先端開口部Ａ0からの押し力によって分離できることから、例えば、本形態の如く、詰め替えられるべき容器本体２の口部２ａに、押圧片としての案内部２３が設けられた受け部材２０を設けることで、ストック容器１を倒立させた状態で、使用容器２の受け部材２０に装着すれば、使用容器２側から封鎖部材１４を押し込むことで、当該封鎖部材１４を分離することができる。これにより、注出栓１０を装着した容器本体１を、ストック容器１として、当該容器１を倒立させた状態から内容物を流下させることができる。
【００４７】
更に、筒状部１２の内側に、空気の流通を可能にする管状部１５を設けることで、注出栓１０を装着した容器本体１を、ストック容器１として倒立させることで内容物の注出を行うときに、管状部１５に係る先端開口部Ａ1と筒状部１２に形成された側面開口部Ａ2との間での空気の流通が可能になる。これにより、ストック容器１と、使用容器２との間での空気置換が可能になるので、内容物を溢れさせることがない。
【００４８】
従って、本形態によれば、内容物の溢れ出し等の不具合を起こすことなしに、効率よく内容物を移し替えることができる。
【００４９】
また、本形態の如く、延長部１５ｃの先端１５ｄを、この先端１５ｄに形成された開口部Ａ3を取り囲むように全周に亘って末広がりの形状にすれば、図７の矢印Ｄに示すように、通路Ｐ1を通る内容物が先端１５ｄに沿って拡散するため、延長部１５の先端開口部Ａ3に回り込む等として、通路Ｐ2内での空気の流通が妨げられることなく、管状部１５の機能を常に良好な状態に維持することができる。
【００５０】
また、本形態の如く、管状部１５の基部１５ａのうち、延長部１５ｃの先端１５ｄが指向する側に突条１５ｅを設ければ、第２の工程は、以下のような作用によって省略することができる。即ち、本形態によれば、管状部１５の基部１５ａが図４の二点鎖線で示すように、案内部２３の先端縁２３ａと干渉する場合でも、基部１５ａに設けた突条１５ｅが、矢印に示すように、案内部２３の先端縁２３ａから傾斜縁２３ｂに沿ってスライドすることで、管状部１５の基部１５ａは、案内部２３の隙間Ｃに位置合わせされる。従って、本形態によれば、第２の工程を省略することができる。
【００５１】
また、図８〜１０は、本発明の第２の形態である、注出栓１０の変形例である。
【００５２】
本形態は、図８等に示すように、管状部１５の基部１５ａを筒状部１２の先端開口部Ａ0に向かって傾斜させたものである。この場合、筒状部１２の通路Ｐ1内に、管状部１５を配置しても、内容物の流れを妨げ難く、また、通路Ｐ1を通る内容物を管状部１５の基部１５ａから効率的に流下させることができる。
【００５３】
加えて、本形態では、図８等に示すように、延長部１５ｃの先端１５ｄを傾斜させている。これにより、この場合、先端開口部Ａ1に内容物を巻き込み難く、管状部１５の機能維持に有効である。
【００５４】
また、図１１は、本発明の第３の形態である、注出栓１０の他の変形例である。本形態は、同図に示すように、管状部１５における基部１５ａの傾斜を大きく取ると共に、先端開口部Ａ1の口径を拡大させたものである。この場合、管状部１５の基部１５ａに係る効果が第２の形態よりも更に優れ、更に、先端開口部Ａ1の口径を拡大させたことで、より効果的な空気の流通が可能になる。
【００５５】
更に、図１２〜１７は、本発明の第４の形態である、注出栓１０の更に他の変形例である。本形態は、封鎖部材１４を案内部２３の先端縁２３ａで直接、押し上げるのではなく、他の部材を介して間接的に押し上げるものである。
【００５６】
図中、１６は、延長部１５ｃに沿ってスライドすることで、封鎖部材１４を押し上げ可能なスライド部材である。スライド部材１６は、図１３に示すように、筒状の部材としてなり、管状部１５の基部１５ａを通すためのスリット１６ｓが形成されている。これにより、スライド部材１６は、延長部１５ｃに沿ってスライドさせることができる。加えて、スライド部材１６には、内容物の移し替えの際に効率的に流すための切り欠き１６ｃが形成されている。
【００５７】
また、スライド部材１６は、筒状部１２の先端開口部Ａ0側の端部１６ａをフランジ部とすることで、案内部２３の先端縁２３ａが接触し易いように構成する。これにより、スライド部材１６は、その端部１６ａ（以下、「フランジ部」）との接触により、容易にスライドさせることができる。スライド部材１６は、その封鎖部材１４側の平端部１６ｂが案内部２３の押し込みによって封鎖部材１４を分離させることができる。
【００５８】
延長部１５ｃとスライド部材１６との間には、図１４に示すように、スライド部材１６が延長部１５ｃの周りを回転することを防止するための位置決め手段が設けられている。
【００５９】
位置決め手段は、延長部１５ｃに設けた凸部１５ｐ1がスライド部材１６に設けた凹部１６ｎに対してスライド可能に嵌合することで構成される。なお、本発明に従えば、位置決め手段は、スライド部材１６に設けた凸部が延長部１５ｃに設けた凹部に対してスライド可能に嵌合することで構成されるものとすることもできる。
【００６０】
また、延長部１５ｃとスライド部材１６との間には、当該スライド部材が誤ってスライドすることを防止するための係止手段が設けられている。
【００６１】
係止手段は、延長部１５ｃに設けた凸部１５ｐ2がスライド部材１６に設けた凸部１６ｐに対して着脱可能に引っ掛かることで構成される。なお、本発明に従えば、係止手段は、スライド部材１６に設けた凸部が延長部１５ｃに設けた凹部に対して着脱可能に引っ掛かることで構成されるものとすることもできる。
【００６２】
次に、本形態の作用を説明する。
【００６３】
ストック容器１から使用容器２に内容物を移し替えるに際しては先ず、第１の工程として、他の形態と同様、ストック容器１を図１５に示すように倒立させて使用容器２の上方に配置する。このときも、ストック容器１の内容物は、封鎖部材１４によって筒状部１２から漏れることがない。
【００６４】
次いで、第２の工程として、図１６に示すように、ストック容器１を使用容器２に下ろして受け部材２０の案内部２３を注出栓１の先端開口部Ａ0から通路Ｐ1内に通すと、案内部２３の先端縁２３ａは、スライド部材１６のフランジ部１６ａに接触する。
【００６５】
このとき、スライド部材１６への押し力によって、スライド部材１６に設けた凸部１６ｐが延長部１５ｃに設けた凸部１５ｐ2を乗り越えると、スライド部材１６が延長部１５ｃに沿ってスライドする。これにより、スライド部材１６の先端縁２３ａが、図１７に示すように、筒状部１２内の封鎖部材１４を押し上げて筒状部１２から分離させることで、ストック容器１の充填空間Ｓ1を開放する。
【００６６】
その結果、ストック容器１の内容物は、他の形態と同様、その自重によって、筒状部１２の通路Ｐ1を案内として、使用容器２の開口部Ａ3を通って充填空間Ｓ2内に移し替えられる。このときも、ストック容器１と使用容器２との間での空気置換は、管状部１５の先端開口部Ａ1と側面開口部Ａ2との間での空気の流通によって可能になる。
【００６７】
即ち、本形態に係る注出栓１０によっても、筒状部１２の内側を封鎖部材１４で封止することから、ストック容器１を倒立させても内容物が流れ落ちることがない。このため、他の形態と同様、注出栓１０を装着した容器本体１を、詰め替えるべき内容物を充填したストック容器１として、そのまま倒立させることができる。
【００６８】
加えて、筒状部１２に配置された封鎖部材１４も、他の形態と同様、筒状部１２の先端開口部Ａ0からの押し力によって分離できることから、他の形態と同様、ストック容器１を倒立させた状態で、使用容器２の受け部材２０に装着すれば、封鎖部材１４を分離することができる。これにより、本形態も、注出栓１０を装着した容器本体１を、ストック容器１として、当該容器１を倒立させた状態から内容物を流下させることができる。
【００６９】
更に、本形態も、筒状部２１の内側に、空気の流通を可能にする管状部１５が設けられているため、他の形態と同様、ストック容器１として倒立させることで内容物の注出を行うときに、管状部１４に係る先端開口部Ａ1と筒状部１２に形成された側面開口部Ａ2との間での空気の流通が可能になる。これにより、他の形態と同様、ストック容器１と、使用容器２との間での空気置換が可能になるので、内容物を溢れさせることがない。
【００７０】
従って、本形態によっても、内容物の溢れ出し等の不具合を起こすことなしに、効率よく内容物を移し替えることができる。なお、本形態では、突条１５ｅは、基部１５ａのうち、延長部１５ｃの先端１５ｄが指向する側を先細りの断面形状とすることで構成している。
【００７１】
加えて、本形態によれば、延長部１５ｃに、封鎖部材１４を押し上げ可能なスライド部材１６を設けたことで、他の形態のように、封鎖部材１４の押し込みの際に、管状部１５の基部１５ａと干渉することで、管状部１５の基部１５ａを避けて位置決めすべき場合も、図４に示すように、ストック容器１の管状部１５が使用容器２の案内部２３と干渉しないように、管状部１５の基部１５ａを案内部２３の隙間Ｃに位置合わせすることなく、スライド部材１６を介して押し込むことで、筒状部１２の内側から分離することができる。これにより、基部１５ａを避けるべく、位置決めをしながら装着しなければならないといった煩雑な作業が不要となり、使い勝手がよい。
【００７２】
更に、本形態の如く、延長部１５ｃとスライド部材１６との間に、スライド部材１６が延長部１５ｃの周りを回転することを防止するため、一方の凸部１５ｐ1が他方の凹部１６ｎに対してスライド可能に嵌合する位置決め手段を設ければ、封鎖部材１４が誤って押し込まれることで分離してしまうことを防止できる。これにより、注出栓１０を装着した容器本体１を、スタック容器１として携帯したときの携帯性に優れ、使い勝手がよい。
【００７３】
加えて、本形態の如く、延長部１５ｃとスライド部材１６との間に、スライド部材１６が誤ってスライドすることを防止するため、一方の凸部１５ｐ2が他方の凸部１６ｐに対して着脱可能に引っ掛かる係止手段を設ければ、スライド部材１６が延長部１５ｃの周りで回転することを防止できる。これにより、スライド部材１６が管状部１５の延長部１５ｃに対して遊んでしまうことなく、効率的に仕切壁１４を分離させることができることから、操作性に優れ、使い勝手がよい。
【００７４】
上述したところは、本発明の一形態を示したに過ぎず、特許請求の範囲内において、種々の変更を加えることができる。例えば、本発明に従えば、管状部１５の先端１５ｄの形状は、各形態の形状に限定されることなく、例えば、斜めの切り口をした形状等、様々に変更することができる。
【００７５】
更に、本発明に従えば、各形態の管状部１５はそれぞれ、ストック容器１を使用容器２に装着したとき、延長部１５ｃの先端１５ｄが、例えば、第１の形態の図６に示すように、受け部材側開口部Ａ3を通って充填空間Ｓ2に至るまで延在するものであることが好ましい。かかる構成によれば、充填空間Ｓ2内の空気を直接置換することができるため、内容物の移し替えに伴う溢れ出しをより確実に防止することができる。また、本発明に従えば、各形態に採用された各構成はそれぞれ、互いに適宜組み合わせることができる。
【産業上の利用可能性】
【００７６】
本発明は、シャンプーやリンス、洗剤、消臭剤、除菌剤あるいは化粧料等の液体を詰め替えられるべき容器に移し替えるときに用いられる注出栓及び、それを備える容器として適用することができる。
【符号の説明】
【００７７】
１      ストック容器（容器本体：詰め替えるべき内容物を充填した容器）
１ａ    口部
２      使用容器（詰め替えられるべき容器）
２ａ    口部
１０    注出栓
１１    本体
１２    筒状部
１２ａ  筒状部の先端
１２ｂ  筒状部の容器本体側端部
１３    装着筒
１４    封鎖部材
１５    管状部
１５ａ  基部
１５ｂ  屈曲部
１５ｃ  延長部
１５ｄ  延長部先端
１５ｅ  突条
１６    スライド部材
１６ａ  フランジ部
１６ｂ  平端部
２０    受け部材
２１    装着筒
２２    凹壁
２３    案内部
２３ａ  案内部先端縁
２３ｂ  案内部傾斜縁
２４    オーバーキャップ装着用外筒
Ｐ1     注出用通路
Ｐ2     空気置換用通路
Ｓ1     ストック容器の充填空間
Ｓ2     使用容器の充填空間
Ａ0     筒状部の先端開口部
Ａ1     管状部の先端開口部
Ａ2     管状部の側面開口部
【図１】
2011213401.tif 000003
【図２】
2011213401.tif 000004
【図３】
2011213401.tif 000005
【図４】
2011213401.tif 000006
【図５】
2011213401.tif 000007
【図６】
2011213401.tif 000008
【図７】
2011213401.tif 000009
【図８】
2011213401.tif 000010
【図９】
2011213401.tif 000011
【図１０】
2011213401.tif 000012
【図１１】
2011213401.tif 000013
【図１２】
2011213401.tif 000014
【図１３】
2011213401.tif 000015
【図１４】
2011213401.tif 000016
【図１５】
2011213401.tif 000017
【図１６】
2011213401.tif 000018
【図１７】
2011213401.tif 000019